(57)【特許請求の範囲】
【請求項１】
生ゴミ及び醗酵部材を内部に有し、開閉自在の蓋板を有する攪拌槽と、この攪拌槽が着脱自在であるとともに運動自在に保持される保持具とからなり、攪拌槽の運動が回転運動であり、略中央が曲折したアーム部を有するクランク軸を攪拌槽の底板下面に垂設し、保持具に揺動軸を中心に揺動する揺動板を設け、クランク軸のアーム部に押棒の一端を固定するとともに、押棒の他端を揺動板の一端に枢着し、揺動板の他端を保持具外部に露出させてなることを特徴とする生ゴミ処理装置。
【請求項２】
生ゴミ及び醗酵部材を内部に有し、開閉自在の蓋板を有する攪拌槽と、この攪拌槽が着脱自在であるとともに運動自在に保持される保持具とからなり、攪拌槽を振り子運動自在に保持具に枢着し、蓋板を攪拌槽上端に枢着し、蓋板一端を引き上げたときに攪拌槽側面を側方より押圧するとともに攪拌槽を傾けて保持する押圧板を蓋板他端に設けてなることを特徴とする生ゴミ処理装置。
【発明の詳細な説明】
【０００１】
【発明の属する技術分野】
本発明は、家庭用又は業務用として用いられ、微生物により生ゴミを処理する生ゴミ処理装置に関する。
【０００２】
【従来の技術】
従来、図１６に示すように実開平２−１５００８２号公報に記載された生ゴミ処理装置が提案されている。この生ゴミ処理装置は、容器支持台３０に架設して回転軸２６を支持し、該回転軸２６の周囲に回転容器３１を枢支した構成において、回転軸２６より攪拌体３２を突出し、回転容器３１の内壁部において回転軸２６の軸芯方向にスパイラル羽根３３を固設している。
【０００３】
この生ゴミ処理装置では、スパイラル羽根３３を回転容器３１の内壁側に固着したので、回転容器３１の内壁に全ての生ゴミ１が乗っているのであるから、回転容器３１を回転することにより簡単にスパイラル羽根３３と生ゴミ１を移動して攪拌することができる。これにより回転ハンドル６により回転容器３１を回転するだけでスパイラル羽根３３も回転し、軽い力で生ゴミ全体の攪拌ができる。
【０００４】
【発明が解決しようとする課題】
しかしながら上記従来の生ゴミ処理装置では、回転軸２６の周囲に回転容器３１を枢支しているため、回転容器３１を取り外すことができず、回転容器３１内部の清掃が容易にできないという問題があった。
【０００５】
本発明は、上記事由に鑑みてなしたもので、その目的とするところは、容易に攪拌できるとともに攪拌槽内部の清掃が容易な生ゴミ処理装置を提供することにある。
【０００６】
【課題を解決するための手段】
上記目的を達成するために、請求項１記載の発明は、生ゴミ１及び醗酵部材２を内部に有し、開閉自在の蓋板５を有する攪拌槽３と、この攪拌槽３が着脱自在であるとともに運動自在に保持される保持具４とからなることを特徴として構成している。
【０００７】
このような生ゴミ処理装置では、保持具４に保持させた状態で攪拌槽３を運動させて攪拌槽３内部の生ゴミ１及び醗酵部材２を容易に攪拌できるとともに、攪拌槽３を保持具４から脱着して攪拌槽３内部を容易に清掃することができる。また、この運動は１日に一回程度行うだけで充分であり、手動または動力を用いて行う。
【０００８】
また、請求項１記載の発明は、攪拌槽３の運動が回転運動であることを特徴として構成している。
【０００９】
このような生ゴミ処理装置では、攪拌槽３の回転により内部の生ゴミ１及び醗酵部材２を容易に攪拌できる。
【００１２】
また、請求項１記載の発明は、略中央が曲折したアーム部７ａを有するクランク軸７を攪拌槽３の底板３ａ下面に垂設し、保持具４に揺動軸を中心に揺動する揺動板８を設け、クランク軸７のアーム部７ａに押棒９の一端を固定するとともに、押棒９の他端を揺動板８の一端に枢着し、揺動板８の他端を保持具４外部に露出させてなることを特徴として構成している。
【００１３】
このような生ゴミ処理装置では、保持具４外部に露出した揺動板８の他端を揺動軸回りに繰り返し回動させることにより、揺動板８の一端に枢着された押棒９が往復運動を行い、揺動軸先端がクランク軸７のアーム部７ａを回転させ、攪拌槽３を回転させることができる。
【００２２】
また、請求項２記載の発明は、攪拌槽３を振り子運動自在に保持具４に枢着し、蓋板５を攪拌槽３上端に枢着し、蓋板５一端を引き上げたときに攪拌槽３側面を側方より押圧するとともに攪拌槽３を傾けて保持する押圧板１７を蓋板５他端に設けてなることを特徴として構成している。
【００２３】
このような生ゴミ処理装置では、蓋板５一端を引き上げることにより、押圧板１７が攪拌槽３側面を側方より押圧するとともに攪拌槽３を傾けて保持し、この状態で蓋板５を閉じると、傾いた攪拌槽３が自重で振り子運動し攪拌を行う。
【００４２】
【発明の実施の形態】
以下、本発明の実施形態の生ゴミ処理装置を図１乃至図１５に基づいて説明する。
【００４３】
図１は、本発明の参考例の生ゴミ処理装置を示す概略横断面図である。
【００４４】
図１に示すように、この生ゴミ処理装置は、生ゴミ１及び醗酵部材２を内部に有し、開閉自在の蓋板５を有する攪拌槽３と、この攪拌槽３が着脱自在であるとともに運動自在に保持される保持具４とから形成されている。
【００４５】
保持具４は、略四角箱状に形成され、上面略中央部に傾斜面、傾斜面の上端に連続する水平な上位面、及び傾斜面の下端に連続する水平な下位面が形成されている。この傾斜面には円孔状に攪拌槽３の保持孔が穿設されている。保持孔は傾斜面に開口を有し、傾斜面と略直角方向に攪拌槽３の高さと略一致する深さを有している。
【００４６】
攪拌槽３は、上端を開口した略円筒状に形成され、保持孔内に内嵌されて傾いている。攪拌槽３の外周面と保持孔の内周面とは接触状態に保持されている。また、攪拌槽３上端の開口部に蝶番などで開閉自在とされた蓋板５が設けられている。蓋板５上面の開閉側には蓋板５を開けたり、攪拌槽３を手動回転させたりするための略円柱状のハンドル６が立設されている。
【００４７】
攪拌層の内部には、生ゴミ１及び醗酵部材２が投入されている。醗酵部材２としてはおがくずなどが用いられる。
【００４８】
このような生ゴミ処理装置では、ハンドル６を持って蓋板５を開け、攪拌層内部に生ゴミ１及び微生物を投入する。そして、ハンドル６を持って攪拌層を回転させる。このとき、攪拌層内面に付着している生ゴミ１及び微生物が回転する攪拌槽３につられて回転し攪拌される。この攪拌により微生物が生ゴミ１内部に行き渡り、生ゴミ１の醸酵作用を促進している。また、使用後は攪拌層を保持孔から脱着して攪拌層内部を清掃する。
【００４９】
攪拌層の重量は２０ｋｇ程度であり、１日に５乃至６回転させるだけで充分攪拌できるため、このような手動のハンドル６を持って攪拌層を一日数回回転させるだけで良いのである。
【００５０】
図２は、本発明の実施形態の生ゴミ処理装置を示す概略横断面図である。
【００５１】
図２に示すように、この生ゴミ処理装置は、図１に示す生ゴミ処理装置と略同様に生ゴミ１及び醗酵部材２を内部に有する略円筒状の攪拌槽３とこの攪拌槽３が着脱自在であるとともに運動自在に保持する略四角箱状の保持具４とから形成されている。異なる点は、略中央が曲折したアーム部７ａを有するクランク軸７を攪拌槽３の底板３ａ下面に垂設し、保持具４に揺動軸を中心に揺動する揺動板８を設け、クランク軸７のアーム部７ａに押棒９の一端を固定するとともに、押棒９の他端を揺動板８の一端に枢着し、揺動板８の他端を保持具４外部に露出させていることである。
【００５２】
クランク軸７は回転部の裏面に垂設され、アーム部７ａはクランク軸７中央をコ字型に曲折して形成されている。クランク軸７の先端は保持具４に固着されたクランク軸７受に内嵌している。押棒９は一端がアーム部７ａ略中央に固定され、他端が揺動板８の一端と枢着している。揺動板８の揺動軸は保持具４内に固定され、揺動板８の他端が保持具４側面に設けられたてこ孔を貫通し保持具４外部に露出している。てこ孔は揺動板８の他端を上下に往復運動させるのに充分な大きさの竪孔状に形成されている。
【００５３】
このような生ゴミ処理装置では、保持具４外部に露出した揺動板８の他端を揺動軸回りに繰り返し回動させることにより、揺動板８の一端に枢着された押棒９が往復運動を行い、揺動軸先端がクランク軸７のアーム部７ａを回転させ、攪拌槽３を回転させることができる。
【００５４】
図３は、本発明の参考例の同上と異なる生ゴミ処理装置を示す概略横断面図である。
【００５５】
図３に示すように、この生ゴミ処理装置は、図１に示す生ゴミ処理装置と略同様に生ゴミ１及び醗酵部材２を内部に有する略円筒状の攪拌槽３とこの攪拌槽３が着脱自在であるとともに運動自在に保持する略四角箱状の保持具４とから形成されている。異なる点は、攪拌槽３の外周面に接して回転する回転ローラ１２を保持具４に設けていることである。回転ローラ１２は保持孔壁面の適所に回転ローラ１２収納部が設けられ、この回転ローラ１２収納部に回転ローラ１２が収納されている。また、保持具４内に回転ローラ１２を回転させるための回転駆動機構が形成されている。また、攪拌槽３底板３ａ裏面に接して攪拌槽３を軽い力で回転させるための軸受け１１が設けられている。この軸受け１１は複数のベアリングをリング状に並べた構成を有している。
【００５６】
このような生ゴミ処理装置では、回転駆動機構を作動させて回転ローラ１２を回転させる。回転ローラ１２が攪拌槽３の外周面に接しているため、回転ローラ１２の回転により攪拌槽３を回転ローラ１２と逆向きに回転させることができる。また、攪拌槽３が軸受け１１を介して保持具４に保持されているため、軽い力で攪拌槽３を回転できる。
【００５７】
図４は、本発明の参考例の同上と異なる生ゴミ処理装置を示す概略横断面図である。
【００５８】
図４に示すように、この生ゴミ処理装置は、同上の生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の内部に攪拌羽根１３が付設された攪拌シャフト１４が挿入されていることである。この攪拌シャフト１４は蓋板５の裏面に垂設されている。蓋板５は攪拌槽３の開口部を覆い保持具４の開口に設けられている。
【００５９】
このような生ゴミ処理装置では、回転駆動機構を作動させて回転ローラ１２を回転させて攪拌槽３を回転させる。攪拌槽３の内部に攪拌シャフト１４挿入した状態で攪拌槽３を回転させることにより、シャフトに付設された攪拌羽根１３が攪拌槽３内部の生ゴミ１及び醗酵部材２をかき回して細かく攪拌できる。
【００６０】
図５は、本発明の参考例の同上と異なる生ゴミ処理装置を示す概略横断面図である。
【００６１】
図５に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の内部に生ゴミ１及び醗酵部材２よりも比重の大きい攪拌補助部材１５を設けていることである。
【００６２】
このような生ゴミ処理装置では、攪拌補助部材１５の比重が生ゴミ１及び醗酵部材２よりも大きいため、攪拌槽３を回転させたときに攪拌補助部材１５と生ゴミ１及び醗酵部材２との運動状態が異なり、攪拌補助部材１５が生ゴミ１及び醗酵部材２をかき回してさらに細かく攪拌できる。
【００６３】
図６は、本発明の実施形態の同上と異なる生ゴミ処理装置を示す概略横断面図である。
【００６４】
図６に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３を振り子運動自在に保持具４に枢着し、蓋板５を攪拌槽３上端に枢着し、蓋板５一端を引き上げたときに攪拌槽３側面を側方より押圧するとともに攪拌槽３を傾けて保持する押圧板１７を蓋板５他端に設けていることである。
【００６５】
攪拌槽３は側壁上部で保持具４と枢着している。蓋板５は、攪拌槽３上端の開口部を密閉する水平の蓋板５本体と蓋板５本体の端部より、斜め下方に一体に突設された押圧板１７とから形成されている。押圧板１７と蓋板５本体の境界部に沿って蓋板５を回動できる蓋板５軸が固着されている。
【００６６】
このような生ゴミ処理装置では、蓋板５一端を引き上げることにより、押圧板１７が攪拌槽３側面を側方より押圧するとともに攪拌槽３を傾けて保持し、この状態で蓋板５を閉じると、傾いた攪拌槽３が自重で振り子運動し攪拌を行う。
【００６７】
図７は、本発明の参考例の同上と異なる生ゴミ処理装置を示す概略横断面図である。
【００６８】
図７に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の内面に攪拌突起１８が突設されていることである。攪拌突起１８は、攪拌槽３内面の上下方向に等間隔で突設される４枚の四角板状に形成されている。
【００６９】
このような生ゴミ処理装置では、内面に突設された攪拌突起１８により攪拌槽３の回転に伴って運動する生ゴミ１及び醗酵部材２をかき回して細かく攪拌できる。
【００７０】
図８は、本発明の参考例の同上と異なる生ゴミ処理装置を示す概略横断面図である。
【００７１】
図８に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の内面が多角孔状に形成されていることである。攪拌槽３の内面は六角孔状に形成されている。
【００７２】
このような生ゴミ処理装置では、生ゴミ１及び醗酵部材２が多角孔状の攪拌槽３の内面を転がり落ちて運動するため、生ゴミ１及び醗酵部材２を細かく攪拌できる。
【００７３】
図９は、本発明の参考例の同上と異なる生ゴミ処理装置を示す概略横断面図である。
【００７４】
図９に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、蓋板５に透明窓１９を設けていることである。透明窓１９は、透明な材料から攪拌槽３内部が確認できる程度の大きさを有する略円形に形成されている。
【００７５】
このような生ゴミ処理装置では、蓋板５の透明窓１９から攪拌槽３内部を覗いて生ゴミ１の状態を肉眼で確認することができる。
【００７６】
図１０は、本発明の参考例の同上と異なる生ゴミ処理装置を示す概略横断面図である。
【００７７】
図１０に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の重量を検出できる重量計２０が保持具４に設けられていることである。重量計２０はその検知部が攪拌槽３裏面に接して保持具４内に固定され、外部から重量計２０による測定重量が検出できるようになっている。
【００７８】
このような生ゴミ処理装置では、まず、保持機構及び攪拌槽３の重量を測定しておく。次に、この攪拌槽３内に生ゴミ１及び醗酵部材２を投入して重量を測定する。この重量より保持機構及び攪拌槽３の重量を除いた重量が投入時の生ゴミ１及び醗酵部材２の合成重量である。さらに、一定時間経過後の重量計２０による測定重量を測定しする。この重量と投入時の重量との差より、生ゴミ１の分解状態を知ることができるとともに、醗酵部材２の交換時期を知ることができる。
【００７９】
図１１は、本発明の参考例の同上と異なる生ゴミ処理装置を示す概略横断面図である。
【００８０】
図１１に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、開口を少なくとも横向きに攪拌槽３を回動保持できる回転軸１０を保持具４に設けていることである。保持具４側面に開口運が設けられ、この開口より攪拌槽３の側面が露出している。回転軸１０は攪拌槽３の露出側の側面を貫通して設けられ、攪拌槽３を露出側へ倒すことができる。
【００８１】
このような生ゴミ処理装置では、回転軸１０回りに攪拌槽３を回動させ開口を少なくとも横向きに向けた状態に保持し、攪拌槽３内部の内容物を開口から排出できる。
【００８２】
図１２は、本発明の参考例の同上と異なる生ゴミ処理装置を示す概略横断面図である。
【００８３】
図１２に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３の側面が開口され、この開口に開閉自在の排出扉２２が設けられていることである。開口は攪拌槽３の側面の下部に設けられている。また、排出扉２２は攪拌槽３の側面に沿って上方にスライドできる。開口を密閉している排出扉２２を上方に引き上げることにより、開口を露出させ、攪拌槽３の内容物を排出できる。
【００８４】
図１３は、本発明の参考例の同上と異なる生ゴミ処理装置を示す概略横断面図である。
【００８５】
図１３に示すように、この生ゴミ処理装置は、図１に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌槽３上方の開口部より内部に温風２３が送風されていることである。温風２３の送風装置は保持具４の高位部の開口部近傍に固定されている。
【００８６】
このような生ゴミ処理装置では、攪拌槽３上方の開口部より内部に温風２３を送風しているため、生ゴミ１及び醗酵部材２を直接加熱できる。
【００８７】
図１４は、本発明の参考例の同上と異なる生ゴミ処理装置を示す概略横断面図である。
【００８８】
図１４に示すように、この生ゴミ処理装置は、図４に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、攪拌シャフト１４を昇温させていることである。攪拌シャフト１４は熱伝導性の良好な材料から形成されて蓋板５裏面に垂設されており、蓋板５上面を加熱してこの熱を容易に攪拌シャフト１４へ伝えている。
【００８９】
このような生ゴミ処理装置では、攪拌シャフト１４を昇温させているため、生ゴミ１及び醗酵部材２を内部から直接加熱できる。
【００９０】
図１５は、本発明の参考例の同上と異なる生ゴミ処理装置を示す概略横断面図であり、（ａ）は生ゴミ１の投入状態、（ｂ）は生ゴミ１の収納状態、（ｃ）は生ゴミ１の落下状態を示す。
【００９１】
図１５に示すように、この生ゴミ処理装置は、図４に示す生ゴミ処理装置と略同様に、生ゴミ１及び醗酵部材２を内部に有する略円筒状の攪拌槽３と、この攪拌槽３が着脱自在であるとともに運動自在に保持する略四角箱状の保持具４とから形成されている。異なる点は、蓋板５に開閉自在の上蓋２４で密閉される開口を設け、蓋板５裏面の開口周囲に投入槽２５を垂設し、この投入槽２５の底面に開閉自在の下蓋２５ｂで密閉される開口を設けていることである。
【００９２】
このような生ゴミ処理装置では、上蓋２４を開けて投入槽２５に生ゴミ１を投入して上蓋２４を閉じた後、下蓋２５ｂを開けて投入槽２５内部の生ゴミ１を攪拌槽３に落下投入しているため、生ゴミ１投入時に攪拌槽３内部の臭気を外部に漏らさないで生ゴミ１を攪拌槽３に収容できる。
【００９３】
【発明の効果】
請求項１記載の発明では、保持具に保持させた状態で攪拌槽を運動させて攪拌槽内部の生ゴミ及び醗酵部材を容易に攪拌できるとともに、攪拌槽を保持具から脱着して攪拌槽内部を容易に清掃することができる。また、この運動は１日に一回程度行うだけで充分であり、このため手動または動力を用いて簡単に攪拌槽の攪拌を行うことができる。
【００９４】
また、請求項１記載の発明では、攪拌槽の回転により内部の生ゴミ及び醗酵部材を容易に攪拌できる。
【００９６】
また、請求項１記載の発明では、保持具外部に露出した揺動板の他端を揺動軸回りに繰り返し回動させることにより、揺動板の一端に枢着された押棒が往復運動を行い、揺動軸先端がクランク軸のアーム部を回転させ、攪拌槽を回転させることができる。
【０１０１】
また、請求項２記載の発明では、蓋板一端を引き上げることにより、押圧板が攪拌槽側面を側方より押圧するとともに攪拌槽を傾けて保持し、この状態で蓋板を閉じると、傾いた攪拌槽が自重で振り子運動し攪拌を行う。
【図面の簡単な説明】
【図１】本発明の参考例の生ゴミ処理装置を示す概略横断面図である。
【図２】本発明の実施形態の生ゴミ処理装置を示す概略横断面図である。
【図３】本発明の参考例の同上と異なる生ゴミ処理装置を示す概略横断面図である。
【図４】本発明の参考例の同上と異なる生ゴミ処理装置を示す概略横断面図である。
【図５】本発明の参考例の同上と異なる生ゴミ処理装置を示す概略横断面図である。
【図６】本発明の実施形態の同上と異なる生ゴミ処理装置を示す概略横断面図である。
【図７】本発明の参考例の同上と異なる生ゴミ処理装置を示す概略横断面図である。
【図８】本発明の参考例の同上と異なる生ゴミ処理装置を示す概略横断面図である。
【図９】本発明の参考例の同上と異なる生ゴミ処理装置を示す概略横断面図である。
【図１０】本発明の参考例の同上と異なる生ゴミ処理装置を示す概略横断面図である。
【図１１】本発明の参考例の同上と異なる生ゴミ処理装置を示す概略横断面図である。
【図１２】本発明の参考例の同上と異なる生ゴミ処理装置を示す概略横断面図である。
【図１３】本発明の参考例の同上と異なる生ゴミ処理装置を示す概略横断面図である。
【図１４】本発明の参考例の同上と異なる生ゴミ処理装置を示す概略横断面図である。
【図１５】本発明の参考例の同上と異なる生ゴミ処理装置を示す概略横断面図であり、（ａ）は生ゴミの投入状態、（ｂ）は生ゴミの収納状態、（ｃ）は生ゴミの落下状態を示す。
【図１６】従来の生ゴミ処理装置を示す概略横断面図である。
【図１】
0003539166.tif 000002
【図２】
0003539166.tif 000003
【図３】
0003539166.tif 000004
【図４】
0003539166.tif 000005
【図５】
0003539166.tif 000006
【図６】
0003539166.tif 000007
【図７】
0003539166.tif 000008
【図８】
0003539166.tif 000009
【図９】
0003539166.tif 000010
【図１０】
0003539166.tif 000011
【図１１】
0003539166.tif 000012
【図１２】
0003539166.tif 000013
【図１３】
0003539166.tif 000014
【図１４】
0003539166.tif 000015
【図１５】
0003539166.tif 000016
【図１６】
0003539166.tif 000017